(57)【要約】  少なくとも放射器と反射器を備えるアンテナにおいて，当該アンテナで受信する電波の到来方向に沿って前記放射器と反射器とが配置され，前記反射器は，当該アンテナで受信する電波の偏波方向に沿って延びる矩形の平板体からなり，該平板体の長手方向に沿った端部それぞれが，前記放射器に向けて折り曲げられた形状となっている。
2009123132.tif 000002
【特許請求の範囲】
【請求項１】
少なくとも放射器と反射器を備えるアンテナにおいて，
当該アンテナで受信する電波の到来方向に沿って前記放射器と反射器とが配置され，
前記反射器は，当該アンテナで受信する電波の偏波方向に沿って延びる矩形の平板体からなり，該平板体の長手方向に沿った端部のいずれか一方または両方が，前記放射器に向けて折り曲げられた形状となっている
ことを特徴とするアンテナ。
【請求項２】
前記反射器は，前記平板体における両短辺の一方から他方を結ぶ経路を折曲部とし，該折曲部を境界として分けられた２つの反射面が，前記反射器の長手方向と交差する方向に沿った断面において所定の開口角を形成している
ことを特徴とする請求項１に記載のアンテナ。
【請求項３】
前記反射器は，前記平板体の両短辺における中心点を結ぶ経路が前記折曲部とされている
ことを特徴とする請求項２に記載のアンテナ。
【請求項４】
前記反射器において，前記折曲部を境界として分けられた２つの反射面のいずれか一方または両方には，それぞれ当該アンテナで受信する電波の偏波方向と交差する方向に沿って延びるスリットが１以上形成されている
ことを特徴とする請求項２または請求項３に記載のアンテナ。
【請求項５】
前記反射器において，前記平板体の長手方向に沿った端部の少なくとも一方には，該端部から，当該アンテナで受信する電波の偏波方向と交差する方向に向けて突出する整合片が，前記平板体の長手方向に沿って１以上設けられている
ことを特徴とする請求項１から４のいずれかに記載のアンテナ。
【請求項６】
前記アンテナはＵＨＦ帯の電波を受信するように構成された
ことを特徴とする請求項１から５のいずれかに記載のアンテナ。
【発明の詳細な説明】
【技術分野】
【０００１】
本発明は，放射器と反射器とを備えるアンテナに関する。
【背景技術】
【０００２】
近年広がりつつある地上デジタル放送は，一定レベル以上の電波を受信できれば，デジタル放送の持つその優れた特性によって綺麗な画像を受信することが出来る。そのため，ベランダでも屋内であっても簡単に取付けができ，しかも邪魔にならないような小型で軽量なアンテナが求められるようになった。このようなアンテナの例として，たとえば，絶縁材と，この絶縁体に導電材によって薄膜状に形成された金属箔アンテナ素子を数枚貼着したアンテナが提案されている。（例えば，特許文献１参照）【０００３】
【特許文献１】実開昭５７−１８５２０７号公報
【発明の開示】
【発明が解決しようとする課題】
【０００４】
しかし，従来に示されるアンテナは，一般的な八木・宇田式アンテナのように，受信波長で決まる各素子の長さや形状等を金属箔アンテナ素子に置き換えたものであり，所望の特性を得るためには大きく変更することはできない。【０００５】
例えばアンテナを反射器と放射器だけで構成する事によって，アンテナを小型化すると共に，ベランダやアンテナ支柱への取付性がよいアンテナにしようとすると，その電気的特性は従来の細長い導体棒を使用したアンテナと同程度の電気的特性を得るためにはアンテナの外形も同程度の大きさに留まる。【０００６】
更に，絶縁材に形成された金属箔アンテナ素子からアンテナが構成されているので，反射器を構成する金属波器アンテナ素子を多段にして更に特性の改善を図るためには，アンテナの構成が複雑になり延いてはコストが高くなるといった問題があった。【０００７】
そこで，本発明の目的は，簡単な構成で電気的特性のよいアンテナを提案することを課題とする。
他の目的は，広帯域に亘って特性のよいアンテナを提案することを課題とする。【０００８】
他の目的は，小型でも高性能なアンテナを提供することを課題とする。
他の目的は，設置工事に際して簡単且つ安全なアンテナを提供することを課題とする。
他の目的は，風などによって発生する振動に対して信頼性の高いアンテナを提供することを課題とする。【０００９】
他の目的は，構造が簡単で組付けが容易なアンテナを提供することを課題とする。
【課題を解決するための手段】
【００１０】
上記課題を解決するために，本発明の第１局面は，少なくとも放射器と反射器を備えるアンテナにおいて，当該アンテナで受信する電波の到来方向に沿って前記放射器と反射器とが配置され，前記反射器は，当該アンテナで受信する電波の偏波方向に沿って延びる矩形の平板体からなり，該平板体の長手方向に沿った端部のいずれか一方または両方が，前記放射器に向けて折り曲げられた形状となっている。【００１１】
本発明の第２局面において，前記反射器は，前記平板体における両短辺の一方から他方を結ぶ経路を折曲部とし，該折曲部を境界として分けられた２つの反射面が，前記反射器の長手方向と交差する方向に沿った断面において所定の開口角を形成している。【００１２】
本発明の第３局面において，前記反射器は，前記平板体の両短辺における中心点を結ぶ経路が前記折曲部とされている。
本発明の第４局面の前記反射器において，前記折曲部を境界として分けられた２つの反射面のいずれか一方または両方には，それぞれ当該アンテナで受信する電波の偏波方向と交差する方向に沿って延びるスリットが１以上形成されている。【００１３】
本発明の第５局面の前記反射器において，前記平板体の長手方向に沿った端部の少なくとも一方には，該端部から，当該アンテナで受信する電波の偏波方向と交差する方向に向けて突出する整合片が，前記平板体の長手方向に沿って１以上設けられている。【００１４】
本発明の第６局面では，前記アンテナはＵＨＦ帯の電波を受信するように構成されている。
【発明の効果】
【００１５】
本発明の第１〜第３局面によれば，少なくとも放射器と反射器を備えるアンテナにおいて，当該アンテナで受信する電波の到来方向に沿って前記放射器と反射器とが配置され，前記反射器は，当該アンテナで受信する電波の偏波方向に沿って延びる矩形の平板体からなり，該平板体の長手方向に沿った端部のいずれか一方または両方が，前記放射器に向けて折り曲げられた形状となっている。これにより，上下方向の寸法を小さくできる。しかも，上下方向の寸法を小さくしても，電気的特性の優れたアンテナを提供することができる。【００１６】
また，本発明の第４局面によれば，前記反射器において，前記折曲部を境界として分けられた２つの反射面のいずれか一方または両方には，それぞれ当該アンテナで受信する電波の偏波方向と交差する方向に沿って延びるスリットが１以上形成されている。そのため，スリットのない反射器を備えたアンテナに対して，低域側のＧＡＩＮ及びＶＳＷＲの改善がなされ，スリットの電気的特性改善の有効性が認められる。【００１７】
また，本発明の第５局面によれば，前記反射器において，前記平板体の長手方向に沿った端部の少なくとも一方には，該端部から，当該アンテナで受信する電波の偏波方向と交差する方向に向けて突出する整合片が，前記平板体の長手方向に沿って１以上設けられている。そのため，ＧＡＩＮの低下を招かずに，ＶＳＷＲの改善ができ，整合片の電気的特性改善の有効性が認められる。【００１８】
本発明の第６局面によれば，前記アンテナはＵＨＦ帯の電波を受信するように構成した。そのため，小型であっても全帯域にわたって良好な電気的特性を得られるので，地上デジタル放送の受信にすこぶる好適なアンテナを提供できるのである。
【図面の簡単な説明】
【００１９】
【図１】本発明に係るアンテナを説明するための分解斜視図である。
【図２Ａ−２Ｃ】図２Ａは，アンテナを構成するアンテナ本体の上面図であり，図２Ｂは，図２ＡにおけるＡ−Ａ線から見た，アンテナ本体の側面図であり，図２Ｃは，アンテナ本体の正面図である。
【図３Ａ−３Ｄ】図３Ａは，アンテナを構成する反射器の上面図であり，図３Ｂは，この反射器の正面図であり，図３Ｃは，この反射器の下面図であり，図３Ｄは，図３ＢにおけるＢ−Ｂ線から見た，この反射器の断面図である。
【図４Ａ−４Ｃ】図４Ａは，反射器を収納したときのカバーの正面図であり，図４Ｂは，反射器と信号処理部とを収納したときのカバーの正面図であり，図４Ｃは，図４ＢにおけるＣ−Ｃ線から見た，カバーの断面図である。
【図５Ａ−５Ｂ】図５Ａは，反射器をカバーに収納する実施例を説明するためのカバーの斜視図であって，図４ＢにおけるＤ−Ｄ線から見た，一部を破断したカバーの斜視図であり，図５Ｂは，図４ＢにおけるＤ−Ｄ線から見たカバーの断面図である。
【図６Ａ−６Ｂ】図６Ａは，アンテナを構成する反射器をカバーに収納する変形例の説明図であって，図５Ａと同様のカバーの斜視図であり，図６Ｂは，アンテナを構成する反射器をカバーに収納する変形例の説明図であって，図５Ｂと同様の断面図である。
【図７Ａ−７Ｂ】図７Ａは，図１におけるＥ−Ｅ線から見た，反射器をカバーに収納する前の反射器及びカバーの断面図であり，図７Ｂは，図１におけるＥ−Ｅ線から見た、反射器、及び反射器に装着されたカバーの断面図である。
【図８Ａ−８Ｃ】図８Ａは，本発明にかかるアンテナを構成するアンテナ本体の例を示す斜視図であって，反射器にスリットおよび整合片が設けられたアンテナ本体の斜視図であり，図８Ｂは，本発明にかかるアンテナを構成するアンテナ本体の例を示す斜視図であって，反射器にスリットが設けられていても整合片が設けられていないアンテナ本体の斜視図であり，図８Ｃは，本発明にかかるアンテナを構成するアンテナ本体の例を示す斜視図であって，反射器にスリットも整合片も設けられていないアンテナ本体の斜視図である。
【図９】反射器にスリットが有る場合および無い場合それぞれの電気的特性を示す図である。
【図１０】反射器に整合片が有る場合および無い場合それぞれの電気的特性を示す図である。
【図１１】互いに異なるパターンで整合片が設けられた反射器についての電気的特性を示す図である。
【符号の説明】
【００２０】
１…アンテナ，２…アンテナ本体，５…カバー，６…フロントパネル，９…螺子，１０…放射器，１１…基部，１１ａ…給電点，１２…凹部，１５…放射素子，１７…放射素子取付孔，１８…平衡不平衡変換部，１９…同軸ケーブル，２０…反射器，２１…折曲部，２１ａ…取付孔，２１ｂ・２１ｃ…貫通孔，２２…上部反射面，２２ａ…先端部，２３…下部反射面，２３ａ・２３ｂ…孔，２４…平面，２５…スリット，２６…突出片，２８…整合片，３０…空間，３０ａ…開口部，３３…係止爪，３４…当付面，３５…受止部，３５ａ…突起，３５ｂ…受部，３６…突片，４０…信号処理部，４１…螺子，４２…出力同軸ケーブル，４３…入力同軸ケーブル，４４…シールドケース，４５…側壁，５１ａ…反射器取付用ボス，５１ｂ…フロントパネル取付用ボス，５１ｃ…信号処理回路取付用ボス，５７…放射素子取付用ボス，５８ａ…内部端子部，５９…出力端子，５９ａ…内部端子部，６１・６２…反射器。
【発明を実施するための最良の形態】
【００２１】
以下に，本発明を具体化した実施形態の例を，図面を基に詳細に説明する。
本発明に係るアンテナの実施形態を図１及び図２Ａ−２Ｃを用いて説明する。図１において１は本発明に係るアンテナである。この実施例におけるアンテナ１は，少なくとも放射器１０と，放射器１０の後方に位置する反射器２０からなるアンテナ本体２と，アンテナ本体２を収納する樹脂製筐体であって，アンテナ本体２の後方側に位置するカバー５と，アンテナ本体２の前方側に位置するフロントカバー６とからなる。尚，前記カバー５が請求項に記載の筐体本体である。【００２２】
本発明における放射器１０は，薄板状の導電材料を金型等によって打ち抜き成形した一対の給電素子１５，１５から構成されたダイポールアンテナである。この給電素子１５は，略長方形に形成されており，その基部１１側の略中間位置に給電点１１ａを備えている。また，該基部１１に相対向する辺の中間位置には，前記基部１１方向に向かって，辺を凹状に切り欠くことによって凹部１２を形成している。更に給電素子１５の周縁には，図に示されるように，複数の放射素子取付孔１７が形成されており，該放射素子取付孔１７に，後述するカバー５に形成された放射素子取付用ボス５７を挿入装着すれば，放射素子１５の前記基部１１側の辺同士が，所定の間隔を維持しながら並列配置してカバーに収納されることで放射器１０が構成される。【００２３】
そして，図２Ａ−２Ｃによく示されているように，上記のように構成された放射器１０の給電点１１ａ，１１ａには，例えばフェライトコアにポリウレタン線を巻き回してなる平衡不平衡変換部１８を介して同軸ケーブル１９の一方端側が接続されており，更には，同軸ケーブル１９の他方の端部が，後述する前記カバー５に形成された出力端子５９の，カバー５内部に突出する内側端子部５９ａに接続されていることによって，前記放射器１０によって受信された信号は，前記出力端子５９からカバー５の外部に取出されるように構成されている。【００２４】
ここで，放射器１０の具体的な寸法について説明する。放射器の寸法は図２Ａ，２Ｃによく示されている。尚，以下に説明する本発明の実施形態に係るアンテナの具体的な寸法は，例えばＵＨＦ帯などを使って行われている地上デジタル放送に用いられるアンテナの設計例を示したものである。【００２５】
放射素子１５は導電性のある薄板材を，横幅（図２Ｃでは縦方向の寸法）が１３６ｍｍ，縦幅（図２Ｃでは横方向の寸法）が５４ｍｍの長方形状に打ち抜き形成したものであり，その基部１１側には給電点１１ａが形成されている。更に，基部１１と相対向する側の辺の中間位置には，横幅（図２Ｃでは縦方向の寸法）が３７ｍｍ，縦幅（図２Ｃでは横方向の寸法）が２０ｍｍの凹部１２を備えている。そして，このように形成された放射素子１５の基部１１側の辺を，相互に２ｍｍの間隔を隔てて対向配置することによって放射器１０が構成されている。【００２６】
次に，反射器２０について図３Ａ−３Ｄを用いて説明する。
本発明に係る反射器２０は，アンテナ１で受信する電波の偏波方向に沿って延びる矩形の平板体からなり，該平板体の長手方向に沿った端部それぞれが，放射器１０に向けて折り曲げられた形状となっている。【００２７】
具体的にいえば，平板体における両短辺の一方から他方を結ぶ経路（本実施形態では，平板体の両短辺における中心点を結ぶ経路）が折曲部２１となっており，この折曲部２１を境界として分けられた２つの反射面２２，２３が，反射器２０の長手方向と交差する方向に沿った断面において所定の開口角θを形成するように折り曲げられている。これにより，反射器２０は，長手方向と交差する方向に沿った断面が，電波の到来方向に開口を向けた略Ｖ字状となっている。【００２８】
また，折曲部２１を境界として分けられた反射面２２，２３には，それぞれアンテナ１で受信する電波の偏波方向と交差する方向に沿って延びるスリット２５が複数形成されている。【００２９】
更に，反射器２０において，平板体の長手方向に沿った端部の少なくとも一方（本実施形態では，上部反射面２２の端部２２ａのみ）には，該端部から，アンテナ１で受信する電波の偏波方向と交差する方向に向けて突出する整合片２８が，前記平板体の長手方向に沿って１以上（本実施形態では所定の間隔を空けた所定の２箇所に）設けられている。【００３０】
反射器２０の折曲部２１の底部は平面２４を形成している。この平面２４には，適宜の間隔を置いて，反射器２０を後述するカバー５奥部に形成された反射器取付用ボス５１ａに取付けるための複数の取付孔２１ａ，カバー５の奥部から前方に突出するように設けられているフロントパネル６取付用ボス５１ｂ，５１ｂを挿通するための貫通孔２１ｂ，２１ｂ，及び，後述する信号処理回路の取付用ボス５１ｃ，５１ｃを挿通するための貫通孔２１ｃ，２１ｃがそれぞれ形成されている。【００３１】
更に，下側反射面２３の図面左側には，前記内部端子部５９ａが突出するための孔２３ａ，及び，図には示されていない内部端子部５８ａが突出するための孔２３ｂが形成されている。このように形成された反射器２０は，樹脂製筐体を構成するカバー５に収納される。【００３２】
以上本発明の実施形態に係るアンテナを構成する反射器２０によれば，平板体状の導電材の両長辺側をそれぞれ放射器１０方向に向かって所定の開口角θを有する断面略Ｖ字状となるように，折り曲げ形成したので，上下方向の寸法を小さくできる。【００３３】
ここで，反射器２０の具体的な寸法の例について説明する。各部の寸法は図３Ａ，３Ｂ，３Ｄによく示されている。
横幅が２９０ｍｍの導電材からなる薄板を，図３Ｄに示されるように，折曲部２１を中心として上部反射面２２と下部反射面２３を，開口角θ＝４５°で前方側に折り返す。このとき上部反射面の縦幅が４５ｍｍ，折曲部２１における平面２４の縦幅が６ｍｍ，下部反射面の縦幅が４５ｍｍ，上部反射面２２と下部反射面２３の先端がなす開口寸法が４０．５ｍｍ，上部反射面２２の先端２２ａから突出するように備えられた整合片２８の長さが３０ｍｍとなるように薄板の縦寸法は決められている。【００３４】
本発明に係る実施形態におけるスリット２５は，上部反射面２２と下部反射面２３のそれぞれに設けられており，前記反射面を縦幅３５ｍｍ，横幅が５ｍｍのおおきさで長方形状に貫通させたものであり，反射器２０の横方向の中心軸線上にスリット２５の中心を位置させ，スリット２５の中心線が相互に１０ｍｍの間隔を隔てて並列配置するように，複数のスリット２５が形成されている。【００３５】
また，本発明に係る実施形態における整合片２８は，縦幅が３０ｍｍ，横幅が５ｍｍの大きさの短冊状に一体に形成されており，この実施形態においては，上部反射面２２の前端であって上部反射面２２の中心線ＣＬより左右に９５ｍｍ離れた位置に，整合片２８の中心線がくるように一体に備えられている。【００３６】
次に，前出のカバー５について図１及び図４Ａを用いて詳しく説明する。このカバー５は樹脂製材料を金型等で成形したものであり，前記反射器２０の形状に合わせて，前方に開口部３０ａを備えた断面略Ｖ字状に形成されている。そして，その内部に少なくとも前記反射器２０を収納する空間３０が形成された箱体となるように構成されている。【００３７】
カバー５の再奥部には，前記反射器２０の平面２４に対向するように，該平面２４を当て付けて，反射器２０を取付け及び位置決めをするための当付面３４が形成されている。この当付面３４には，反射器２０の平面２４に形成された前記取付孔２１ａに対向する位置に反射器取付用ボス５１ａが，反射器２０の平面２４に形成された前記貫通孔２１ｂ，２１ｂに対向する位置に，当付面３４から前方に突出するように設けられているフロントパネル６取付用ボス５１ｂ，５１ｂが，反射器２０の平面２４に形成された前記貫通孔２１ｃ，２１ｃに対向する位置に，後述する信号処理回路４０の取付用ボス５１ｃ，５１ｃがそれぞれ形成されている。【００３８】
また，反射器２０の上部反射面２２と下部反射面２３に対向する，カバー５の内面壁には，前記反射器２０に形成されたスリット２５の前方内側端部に嵌合する複数の受止部３５と，前記反射器２０を構成する上部反射面２２と下部反射面２３のそれぞれの先端部と嵌合する複数の突片３６が形成されている。尚，本発明に係る実施形態においては，この突片３６が請求項に記載の係止手段である。また，この突片３６に嵌合する上部反射面２２と下部反射面２３の先端部とが請求項に記載の係止部分である。【００３９】
更に，カバー５の開口部３０ａにおける開口端の周縁内側には，該開口端に沿うように，放射器１０を構成する前記放射素子１５，１５を取付けるための手段であって，放射素子１５に形成された前記放射素子取付孔１７に対向する位置に，放射素子取付用ボス５７が形成されている。【００４０】
加えて，カバー５の下面内側の中間部位には，前記同軸ケーブル１９を保持するための係止爪３３が形成されている。また，カバー５の下面外側の側方には，同軸ケーブル１９に伝送されてきた受信信号を出力するための出力端子５９が備えられている。この出力端子５９のカバー５の空間３０に現れる部分が前記内部端子部５９ａであり，前記同軸ケーブル１９の他方端の中心導体と外部導体がそれぞれ接続されている。【００４１】
そして，このように構成されたカバー５には，反射器２０が収納されると共に，該反射器２０の収納が完了した後に，前記開口部３０ａを塞ぐように，前記放射素子１５，１５が組付けられる。これによって，一対の放射素子１５は，相互に所定の間隔をおいて配設されて放射器１０を形成すると共に，該放射器１０と前記反射器２０とが，前後に所定の間隔をおいて配設されることによって，アンテナ本体２が構成されるのである。【００４２】
本発明に係る実施形態のアンテナ本体２においては，図２Ａに示されているように，放射器１０と反射器２０の間隔は，放射器１０と反射器２０の平面２４との間隔が１００ｍｍとなるように配設されており，この所定寸法によってアンテナ本体２が構成されている。このように構成されているアンテナ本体２がカバー５に収納されたなら，図１に示されるように，カバー５の前方側にフロントパネル６を装着して，カバー５の後方から，例えば，螺子９を使ってカバー５とフロントパネル６を固着することによってアンテナ１の組付けが完了する。【００４３】
ここで，カバー５と反射器２０の係止方法について，図５Ａ−５Ｂ，図６Ａ−６Ｂ，及び図７Ａ−７Ｂを用いて詳しく説明する。先ず図５Ａ−５Ｂで示される実施例から説明する。【００４４】
反射器２０は，反射器２０の折曲部２１に形成されている平面２４が，カバー５の空間３０の奥部に形成された当付面３４に当接するように装着される。
そのとき上述したように，当付面３４から突設された反射器取付用ボス５１ａが，反射器２０の平面２４に形成された取付孔２１を挿通し，当付面３４から前方に突出するように設けられているフロントパネル６取付用ボス５１ｂ，５１ｂが，反射器２０の平面２４に形成された貫通孔２１ｂ，２１ｂを挿通して，信号処理回路の取付用ボス５１ｃ，５１ｃが，反射器２０の平面２４に形成された貫通孔２１ｃ，２１ｃを挿通するようにして取付ける。これによって反射器２０はカバー５内の所定位置に位置決めされて収納される。【００４５】
尚，反射器２０の取付後は，反射器取付用ボス５１ａに対して，熱などを加えることによって変形させるように潰せば，反射器２０は確りとカバー５に固着することができる。
この装着操作と同時に，図５Ａ−５Ｂに示されるように，カバー５の上下の内面壁に形成された前記受止部３５が，反射器２０に形成されたスリット２５の前方内側端部に嵌合すると共に，カバー５の上下の内面壁に形成された突片３６が，反射器２０を構成する上部反射面２２と下部反射面２３のそれぞれの先端部における係止部分と嵌合する。【００４６】
更に詳しく説明する。図５Ｂに良く示されているように，前記受止部３５は，カバー５の内面壁と一体に空間３０に突設するように形成されており，スリット２５の前方内側端部と当接する受部３５ｂと，該受部３５ｂの上部若しくは下部にあって，前記スリット２５を挿通する突起３５ａとを備えている。そして，突起３５ａと受部３５ｂとカバー内面壁とで凹状の受止部３５が形成されており，この凹状部にスリット２５の前方内側端部が嵌合するのである。【００４７】
また，前記突片３６は，カバー５の内面壁と一体に空間３０に僅かに突設するように形成されており，反射器２０の装着における最後の段階で，上部反射面２２および下部反射面２３の先端部がそれぞれ内側に押されながら前記突片３６を乗り越えることにより，反射器２０がカバー５に装着される。【００４８】
そして，装着が完了したなら，上部反射面２２と下部反射面２３の先端部は，その付勢力によって，カバー内面壁を押圧するように取付けられ，前記突片３６と該突片３６に対向する上下の反射面の先端部における係止部分とが嵌合して，反射器２０がカバー５内部に確りと取付けられるのである。【００４９】
上述したように本発明の実施形態における反射器２０は，アンテナとしての良好な特性を得るために，その開口角θは４５°であるようにするのが良い。ところが部品としての反射器２０を考えると，例えば，開口角を所定の角度θより僅かに大きくなるように形成しておいて，反射器２０をカバー５に収納して前記突片３６に嵌合させた状態で，反射器２０の開口角θが４５°となるように構成するとよい。この構成であれば，反射器２０は，その付勢力によって更に強固にカバー５に組み付けられると共に，薄板からなる反射器２０の開口角θが，より剛性の強いカバー５によって，略一定のθで組付けられることになり，製品ごとに電気的特性のバラツキの少ない製品が提供できる。【００５０】
このときの組付けの状態を図７Ａ−７Ｂに示している。これらの図において，カバー５に入れる前の反射器２０は，その開口角がθ１（θ１＞θ，θ＝４５°）で形成されており，その結果，反射器２０の開口端の寸法はＷ１＞４０．５ｍｍである。このように形成された部品としての反射器２０を，図５Ｂの如くカバー５に収納した状態で，その開口角がθ＝４５°となる。その結果，反射器２０の開口端の寸法はＷ＝４０．５ｍｍ，中心線ＣＬから整合片２８の先端までの寸法はＨである。【００５１】
更に，この図７Ａ−７Ｂに示す実施例では，カバー５の突片３６は，反射器２０の開口端の寸法が，所定の寸法であるＷ＝４０．５ｍｍとなる位置，即ち，反射器２０をカバー５内の所定位置に収納することによって，反射器２０の形状が所定の形になるように形成されている。さらに，カバー５自体の開口角が，反射器の所定の開口角θより僅かに小さく形成されていることによって，図５Ｂの如く，上部反射面２２及び外部反射面２３の先端部の外面を除いて，上部反射面２２及び外部反射面２３の外面とカバー５の内面壁との間が接触することなく適度な間隔を有するように構成されている。【００５２】
このように構成されていることによって，アンテナ本体２，特に反射器２０が風などによって振動したとしても，上部反射面２２及び外部反射面２３とカバー５の内面壁とが接触しないので余分な異常音の発生がなくなるのである。【００５３】
尚，上部反射面２２及び外部反射面２３の先端部と，カバー５の内面壁との間に緩衝材を介在させても良い。
次に，反射器２０の取付構造の異なる実施例を，図６Ａ−６Ｂを用いて説明する。【００５４】
前記カバー５に反射器２０を収納したときに，図５Ａ−５Ｂに示される前記実施例では，少なくとも前記反射器２０の上部反射面２２及び下部反射面２３の先端部外面全てがカバー５の内面壁に当接し，しかも，その先端部の係止部分が前記突片３６に嵌合する構成であった。それに対し，この図６Ａ−６Ｂの実施例では，前記空間３０内面に備えられた係止手段としての突片３６に対向配置する係止部分を除いて，少なくとも前記反射器２０の上部反射面２２及び下部反射面２２の外面とカバー５内面壁とが当接しないように，前記空間３０の内面に対して所定の間隙を有するように取付けられるように構成されている。【００５５】
即ち，上部反射面２２及び下部反射面２３の先端部の，前記突片３６に対向する位置には，突片３６に向かって前記上部反射面２２及び下部反射面２３より外方向に突出するように形成した係止部分としての突出片２６が備えられている。そして，この突出片２６を前記突片３６に係止することによって，反射器２０は所定の形状でもって，カバー５に収納されるのである。【００５６】
このように構成されていることによって，アンテナ本体２，特に反射器２０が風などによって振動したとしても，上部反射面２２及び外部反射面２３とカバー５の内面壁とは，前記突出片２６の先方端部を除いて接触しないので，接触部分が極めて少なくなり，更に振動に対して異常音の発生の少ないアンテナが提供できるのである。【００５７】
ここで以上のように構成された本発明に係るアンテナの電気的特性を示し，反射器２０に備えたスリット２５及び整合片２８の効果について以下に説明する。
先ず，スリット２５の効果について図９を用いて説明する。【００５８】
本発明の実施形態のアンテナによれば，スリット２５を設けた反射器２０を備えたアンテナは，スリットのない反射器を備えたアンテナに対して，低域側のＧＡＩＮ及びＶＳＷＲの改善がなされ，スリット２５の有効性が認められる。【００５９】
尚，本発明の実施形態のスリット２５は，図３Ａ−３Ｄに良く示されるように，横幅２９０ｍｍ，縦幅４５ｍｍの大きさの上部反射面２２，下部反射面２３のそれぞれに，横幅５ｍｍ，縦幅３５ｍｍのスリットを，長手方向の中心軸の間隔が１０ｍｍとなるように並列配置するように構成されている。【００６０】
次に，整合片２８の効果について図１０を用いて説明する。
図１０に示すデータは，整合片２８を上側反射面２２の所定位置に２つ設けた反射器と，上側反射面２２と下側反射面２３のそれぞれに２つ設けた反射器と，整合片のない反射器を備えたアンテナを比較したものである。ＶＳＷＲのデータからわかるように，整合片２８のない反射器を備えたものはＶＳＷＲの特性が一番悪く，上側に整合片が２個，上下それぞれに整合片が２個の順にＶＳＷＲが良くなる。ところが，ＧＡＩＮに注目すると，整合片２８がないもの，上側に整合片が２個のものは殆ど同じＧＡＩＮ特性を示すものの，上下それぞれに整合片が２個のものはＧＡＩＮの低下が見られる。本発明の実施形態のアンテナによれば，本発明の実施形態のように，整合片２８を少なくとも反射器２０を構成する上側反射面２２に２つ設けることによって，ＧＡＩＮの低下を招かずに，ＶＳＷＲの改善ができる事が分かり，整合片２８の有効性が認められる。【００６１】
尚，本発明の実施形態の整合片２８は，図３Ａ−３Ｄに良く示されているように，縦幅が３０ｍｍ，横幅が５ｍｍの大きさに形成されている。そして，整合片２８は，上部反射面２２の先端であって，上部反射面２２の横幅の中心線より左右に９５ｍｍ離れた位置それぞれに，整合片２８の中心線がくるように一体に備えられている。【００６２】
次に，本発明に係るアンテナの異なる実施形態について図３Ｂ−３Ｃを用いて説明する。この図３Ｂに示される実施形態と図３Ａに示される実施形態の違いは，アンテナに，図３Ｂにおける４０で示される信号処理部を備えたことである。【００６３】
この信号処理部４０は，例えば，放射器１０で受信した信号を，所定のレベルまで増幅するための増幅回路や，例えば衛星アンテナ等の外部アンテナからの信号を，このアンテナで受信した地上デジタル波の信号と混合するための混合回路等を備えた信号処理回路（図には示されていない）を，例えば導電材用で形成されたシールドケース４４に収納したものである。【００６４】
この信号処理部４０は，例えば放射器１０で受信した信号を所定のレベルまで増幅するための増幅回路や，例えば衛星アンテナ等の外部アンテナからの信号をこのアンテナで受信した地上デジタル波の信号と混合するための混合回路等，を備えた信号処理回路（図には示されていない）が，例えば導電材用で形成されたシールドケース４４に収納されてなるものである。【００６５】
本発明におけるシールドケース４４は，上下方向が薄手となるよう，上下面と四方を囲む側壁とからなるシールド性を備えた箱体であり，前記上部反射面２２及び下部反射面２３によって，前記反射器２０の前方側に形成される空間の中間部位に，少なくとも前記信号処理部４０の一つの側壁４５をアンテナの前方向に向けて，該信号処理部４０の一部若しくは全てを前記空間に重合するように配設されている。【００６６】
このシールドケース４４は，前記側壁４５と相対向する側壁に，該側壁より両側方に突設した，中央に貫通孔を備えた取付け脚が備えられている。そして，この取付け脚を前記取付用ボス５１，５１に対して当て付け，螺子４１，４１を前記貫通孔から取付用ボス５１ｃ，５１ｃに対して羅着することでカバー５に対する取付けが行なわれる。【００６７】
尚，図３Ｂに示される１９は放射器１０で受信した信号を伝送する入力用の同軸ケーブルであり，４２は増幅や混合といった信号処理された信号を出力端子５９より出力するための同軸ケーブルである。【００６８】
また，４３は，衛星アンテナ等の外部アンテナなどを介して外部入力端子から入力される信号を，信号処理回路に入力するための同軸ケーブルであり，一方は図の５８ａで示されている内部入力端に接続され，他方は信号処理回路に接続されている。【００６９】
ここで，信号処理部４０を放射器１０と反射器２０の間に入れることの影響についての実験結果を，図１１を用いて説明する。図１１は信号処理部４０のない場合の電気的特性と，信号処理部４０の取付け方向の違いによる電気的特性の比較を行なったものである。【００７０】
信号処理部４０の取付け方向は，図３Ｂに良く示されているように，前記信号処理部４０の側壁４５，つまり薄手方向の面をアンテナの前方向に向けて取付けた場合と，信号処理部４０の上面若しくは下面，つまり長手方向の面をアンテナの前方に向けて取付けた場合との２つである。【００７１】
このデータからわかるように，信号処理部４０が無い場合を基準とすると，薄手方向の面をアンテナの前方向に向けて取付けた場合は，信号処理部４０が反射器２０内に重合するように配設されていても，若干の劣化が見られるだけでＧＡＩＮもＶＳＷＲも前後比も略同程度の特性が得られることがわかる。【００７２】
それに対して，信号処理部４０の上面若しくは下面をアンテナの前方に向けて取付けた場合は，帯域の低域側においてＶＳＷＲの改善が見られるものの，ＧＡＩＮの低下，前後比の劣化がみられる事が分かる。【００７３】
つまり，本発明の実施形態によれば，前記上部反射面２２及び下部反射面２３によって前記反射器２０の前方側に形成される空間の中間部位に，少なくとも前記信号処理部４０の薄手方向の一側壁４５をアンテナの前方向に向けて，該信号処理部４０の一部若しくは全てを前記空間に重合するように信号処理部４０を配設することによって，電気的特性の劣化のないアンテナを提供することができる。【００７４】
尚，本発明は上記実施の形態に限定されるものではなく，以下に例示するように，本発明の趣旨を逸脱しない範囲で各部の構成を適宜に変更して実施することも可能である。
上述した実施形態は，反射器２０にスリット２５や整合片２８を用いて最適化した例を示したが，例えば，図８Ｂ−８Ｃに示すようにスリット２５が有っても整合片２５がないもの（反射器６１），スリット２５も整合片２８もないもの（反射器６３）等，適宜に組み合わせて構成しても良いことは言うまでもない。【００７５】
また，反射器２０に形成するスリット２５は，その有効性が認められる範囲であれば，形状，大きさ，数や，各スリット２５の位置関係などについては特に限定されない。
また，上述した実施形態において，反射器２０の反射面２２，２３に形成された開口角θは，反射器２０における上下方向および前後方向の長さをある程度短くすることができるように定められた角度（本実施形態では３０度〜６０度）であればよい。【００７６】
また，上記実施形態において，反射器２０の反射面２２に設けられた整合片２８は，その有効性が認められる範囲であれば，形状，大きさ，数や，各整合片２８の位置関係などについては特に限定されない。【００７７】
また，上記実施形態において，反射器２０は，平板体の長手方向に沿った端部のいずれか一方または両方が放射器１０に向けて折り曲げられた形状とし，折曲部を中心とする開口が電波の到来方向に向くようにすれば，上述した略Ｖ字状以外の形状としてもよい。具体的な形状としては，略Ｃ字状，略Ｕ字状，略Ｗ字状などとすることが考えられる。【００７８】
また，上記実施形態において，反射器２０における折曲部２１は，平板体の両短辺における中心点を結ぶ経路となっているが，この経路は，両短辺における中心点に限られず，アンテナとしての電気的特性を確保できれば，どのような両短辺におけるいずれの経路を結ぶものであってもよい。
【図１】
2009123132.tif 000003
【図２Ａ−２Ｃ】
2009123132.tif 000004
【図３Ａ−３Ｄ】
2009123132.tif 000005
【図４Ａ−４Ｃ】
2009123132.tif 000006
【図５Ａ−５Ｂ】
2009123132.tif 000007
【図６Ａ−６Ｂ】
2009123132.tif 000008
【図７Ａ−７Ｂ】
2009123132.tif 000009
【図８Ａ−８Ｃ】
2009123132.tif 000010
【図９】
2009123132.tif 000011
【図１０】
2009123132.tif 000012
【図１１】
2009123132.tif 000013
【国際調査報告】
2009123132.tif 000014
2009123132.tif 000015